(57)【要約】【課題】落下衝撃で端子カバーが撓んでも、爪部とキャビネットの係止部との係合が外れることがなく、キャビネットから端子カバーの脱落を防止することができる端子カバー脱落防止構造を提供する。【解決手段】端子部２４を覆う端子カバー２８がリアキャビネット２２から脱落するのを防止する端子カバー脱落防止構造において、リアキャビネット２２の係止部２３に形成された係止部２３と、端子カバー２８に設けられ、係止部２３に係止される段部４８が形成された爪部４６を有する側断面視横向きＵ字状の弾性変形可能な掛止部４４と、端子部２４に設けられ、掛止部４４を拘束する拘束穴２６とを備え、拘束穴２６は内部に掛止部４４に当接して拘束する略台形状のリブ５０が立設されており、端子カバー２８が撓んでいても拘束穴２６に掛止部４４が拘束され、爪部４６と係止部２３との係合が外れない。【選択図】図７
2008153029.tif 000002
【特許請求の範囲】
【請求項１】
端子を収容する端子部が一部に形成されているキャビネットに係止されて前記端子部を覆う端子カバーが前記キャビネットから脱落するのを防止する端子カバー脱落防止構造において、
前記キャビネットに設けられた係止部と、
前記端子部に設けられており、被拘束部を拘束する拘束穴と
を備え、
前記被拘束部は、前記端子カバーに設けられており、前記係止部に弾性的に係止される爪部を有することを特徴とする端子カバー脱落防止構造。
【請求項２】
前記拘束穴の内部に、前記被拘束部に対向する略台形状のリブが立設されていることを特徴とする請求項１に記載の端子カバー脱落防止構造。
【請求項３】
前記被拘束部を前記拘束穴に案内する案内部が、該拘束穴の開口部から奥行き方向に狭くなるようにテーパー状に形成されていることを特徴とする請求項１に記載の端子カバー脱落防止構造。
【請求項４】
前記拘束穴は、該拘束穴の開口部に前記被拘束部と当接しない平坦部を有することを特徴とする請求項１に記載の端子カバー脱落防止構造。
【請求項５】
前記拘束穴の内面が前記被拘束部に当接して拘束するように棚状に形成されていることを特徴とする請求項３又は４に記載の端子カバー脱落防止構造。
【請求項６】
前記被拘束部は、湾曲部で連なる二つの板状部材でなり、
一方の前記板状部材が前記爪部を有し、他方の前記板状部材が前記拘束穴に当接するリブを有することを特徴とする請求項１に記載の端子カバー脱落防止構造。
【請求項７】
前記リブは、前記拘束穴に対向する略台形状であり、前記他方の板状部材の両縁部に立設されていることを特徴とする請求項６に記載の端子カバー脱落防止構造。
【請求項８】
前記爪部は、前記一方の板状部材の両縁部の二箇所に又は該板状部材の略中央の一箇所に形成されていることを特徴とする請求項６又は７に記載の端子カバー脱落防止構造。
【請求項９】
請求項１乃至８のいずれか一つに記載の端子カバー脱落防止構造を備える電子機器。
【発明の詳細な説明】
【技術分野】
【０００１】
本発明は、電子機器における端子カバーの脱落を防止する端子カバー脱落防止構造及び該端子カバー脱落防止構造を備える電子機器に関する。
【背景技術】
【０００２】
従来、電子機器には、入出力端子を初めとして機器に応じて各種端子が備えられており、端子を保護するために端子カバーが設けられている。例えばテレビ、ビデオレコーダ等は、入出力端子として、ＲＣＡ端子、Ｓ端子、Ｄ端子等を備えており、近年では、ＨＤＭＩ端子を備えているものがある。
一般的な端子カバーに関して、例えば特許文献１には液晶ディスプレイの端子カバーについて開示されており、また特許文献２には回路遮断器の端子カバーについて開示されている。
【０００３】
図１７は従来の液晶ディスプレイの端子カバー回りを示す部分側断面図、図１８は同端子カバーの係合部を示す部分側断面図、図１９は同端子カバーが撓んだ状態における係合部を示す部分側断面図である。
従来の端子カバー１は、縦方向に取り付けられる矩形状であり、図１７に示すように、上縁部に係合部４を、下縁部に支持部８を有する。係合部４は、弾性的に変形可能な側断面視横向きＵ字状の部材でなり、横向きＵ字の上面に爪２を有し、上面の端部にツマミ３が上方に立設されている。支持部８は、基台の穴６に嵌入して端子カバー１を支持する。基台の穴６は、液晶ディスプレイのリアキャビネット５の横方向一側の背面略全域をなす端子部１０の下部に設けられている。
【０００４】
端子カバー１の係合部４は、リアキャビネット５の上縁部９に近接して端子部１０の上部に形成された穴７に、側断面視横向きＵ字状の湾曲部が挿入され、上縁部９に爪２が弾性的に係止されるようになっており、ツマミ３を押すことにより、係合部４が弾性的に変形し、上縁部９から爪２が外れ、端子カバー１がリアキャビネット５から取り外せるようになっている。
【０００５】
ところで、端子カバー１は、例えば梱包された液晶ディスプレイを持ち運ぶ際の横転などによって、リアキャビネット５の背面方向に落下（図１８の白抜き矢印参照）して撓む場合がある。
従来の構造では、図１８に示すように、係合部４の側断面視横向きＵ字状部材の下面と穴７の下部との間に、高さｈの大きな空間Ｓが存在し、落下衝撃による端子カバー１の撓みに伴って端子カバー１の係合部４も下方へ撓むため、図１９に示すように、高さｈが小さくなり、端子カバー１の係合部４の爪２が、リアキャビネット５の上縁部９に係止されないようになり、係合部４が穴７から抜け出て端子カバー１が脱落することがある。
したがって、従来は、このような落下衝撃があっても、端子カバー１がリアキャビネット５の背面から落下することを防止するため、粘着テープで端子カバー１を固定して出荷しており、液晶ディスプレイを使用する際に、液晶ディスプレイのユーザーが粘着テープを剥がすようにしていた。
【特許文献１】特開２００３−２４８２８３号公報
【特許文献２】特開平７−２１１２１９号公報
【発明の開示】
【発明が解決しようとする課題】
【０００６】
しかしながら、出荷時とは言え、落下衝撃による端子カバーの脱落を粘着テープで防止するのは見栄えが悪く、また粘着テープで貼り付けるのは煩雑であり、落下衝撃により端子カバーが撓んでも落下しないような構造が求められていた。
なお、従来の特許文献１及び２には、落下衝撃により、リアキャビネットから撓んだ端子カバーの脱落を防止するような技術の開示はされていない。
【０００７】
本発明は、このような事情に鑑みてなされたものであって、その目的とするところは、被拘束部の弾性力によりキャビネットの係止部と被拘束部の爪部との係合を維持するように、拘束穴が被拘束部を拘束する構成を備えることにより、端子カバー脱落防止のために粘着テープで固定する必要がなく、例えば落下衝撃で端子カバーが撓んでも、被拘束部が撓まず、爪部と係止部との係合が外れることがなく、キャビネットから端子カバーの脱落を防止することができる端子カバー脱落防止構造を提供することにある。
【０００８】
また本発明の他の目的とするところは、拘束穴内部に端子カバーの被拘束部を案内して拘束する略台形状のリブが立設される構成を備えることにより、リブが端子カバーの被拘束部を案内して容易に拘束穴に挿入することができ、例えば落下衝撃で端子カバーが撓んでも、リブが被拘束部を拘束穴に拘束して、被拘束部が撓まず、被拘束部の爪部とキャビネットの係止部との係合が外れることがなく、キャビネットから端子カバーの脱落を防止することができる端子カバー脱落防止構造を提供することにある。
【０００９】
さらに本発明の他の目的とするところは、拘束穴が端子カバーの被拘束部を案内するテーパー状の案内部を備えることにより、被拘束部を拘束穴に滑らかに挿入することができる端子カバー脱落防止構造を提供することにある。
【００１０】
本発明の他の目的とするところは、拘束穴の開口部に端子カバーの被拘束部と当接しない平坦部を備えることにより、端子カバーの被拘束部が拘束穴の縁に当たることがなく、被拘束部を容易に挿入することができる端子カバー脱落防止構造を提供することにある。
【００１１】
本発明の他の目的とするところは、拘束穴の内面が被拘束部に当接して拘束するように棚状に形成してある構成を備えることにより、例えば落下衝撃で端子カバーが撓んでも、被拘束部が棚状の拘束穴内面に当接し拘束されて撓まず、被拘束部の爪部とキャビネットの係止部との係合が外れることがなく、キャビネットから端子カバーの脱落を防止することができる端子カバー脱落防止構造を提供することにある。
【００１２】
本発明の他の目的とするところは、被拘束部が拘束穴に当接するリブを備えることにより、例えば落下衝撃により端子カバーが撓んでも、被拘束部のリブが拘束穴に当接し、被拘束部が拘束されて撓まず、被拘束部の爪部とキャビネットの係止部との係合が外れることがなく、キャビネットから端子カバーの脱落を防止することができる端子カバー脱落防止構造を提供することにある。
【００１３】
本発明の他の目的とするところは、被拘束部の略台形状のリブが拘束穴に当接する構成を備えることにより、例えば落下衝撃により端子カバーが撓んでも、被拘束部が撓まず、被拘束部の爪部とキャビネットの係止部との係合が外れることがなく、キャビネットから端子カバーの脱落を防止することができる端子カバー脱落防止構造を提供することにある。
【００１４】
本発明の他の目的とするところは、被拘束部の爪部は一方の板状部材の両縁部の二箇所に又は板状部材の略中央の一箇所に形成されている構成を備えることにより、被拘束部の爪部がキャビネットの係止部に当接して偏りなく弾性変形し、被拘束部のリブが拘束穴に均等に当接することができる端子カバー脱落防止構造を提供することにある。
【００１５】
本発明の他の目的とするところは、前述の端子カバー脱落防止構造を備えることにより、端子カバーが落下衝撃により撓んでも、端子カバーがキャビネットから落下することを防止することができる電子機器を提供することを目的とする。
【課題を解決するための手段】
【００１６】
本発明の端子カバー脱落防止構造は、端子を収容する端子部が一部に形成されているキャビネットに係止されて前記端子部を覆う端子カバーが前記キャビネットから脱落するのを防止する端子カバー脱落防止構造において、前記キャビネットに設けられた係止部と、前記端子部に設けられており、被拘束部を拘束する拘束穴とを備え、前記被拘束部は、前記端子カバーに設けられており、前記係止部に弾性的に係止される爪部を有することを特徴とする。
【００１７】
このような構成の本発明の端子カバー脱落防止構造では、被拘束部を拘束穴に挿入していくと、キャビネットの係止部が被拘束部の爪部に当接して被拘束部が変形し、爪部が係止部を圧接し、係止部に爪部が係止されて、被拘束部が拘束穴に嵌ると、拘束穴が被拘束部を拘束する。
したがって、例えば落下衝撃で端子カバーが撓んでも、拘束穴が被拘束部を拘束して、被拘束部が撓まないので、キャビネットの係止部と被拘束部の爪部との係合が外れない。
【００１８】
本発明の端子カバー脱落防止構造は、前記拘束穴の内部に、前記被拘束部に対向する略台形状のリブが立設されていることを特徴とする。
【００１９】
このような構成の本発明の端子カバー脱落防止構造では、被拘束部を拘束穴に挿入するとき、リブの斜面が被拘束部の例えば湾曲部に沿って被拘束部を案内し、被拘束部が変形することにより、被拘束部の爪部がキャビネットの係止部を圧接し、係止部が爪部を係止して、被拘束部が拘束穴に嵌る。
したがって、例えば端子カバーが落下衝撃で撓んでも、拘束穴に挿入された被拘束部が略台形状のリブに当接し、略台形状のリブが被拘束部を拘束し、被拘束部が撓まない。
【００２０】
本発明の端子カバー脱落防止構造は、前記被拘束部を前記拘束穴に案内する案内部が、該拘束穴の開口部から奥行き方向に狭くなるようにテーパー状に形成されていることを特徴とする。
【００２１】
このような構成の本発明の端子カバー脱落防止構造では、被拘束部を拘束穴に挿入すると、テーパー状の案内部が被拘束部を案内し、被拘束部が弾性的に変形することにより、被拘束部の爪部がキャビネットの係止部を圧接し、係止部が爪部を係止して、被拘束部が拘束穴に嵌る。
【００２２】
本発明の端子カバー脱落防止構造は、前記拘束穴は、該拘束穴の開口部に前記被拘束部と当接しない平坦部を有することを特徴とする。
【００２３】
このような構成の本発明の端子カバー脱落防止構造では、被拘束部を拘束穴に挿入するとき、拘束穴の縁に当たらず、被拘束部を滑らかに挿入する。
【００２４】
本発明の端子カバー脱落防止構造は、前記拘束穴の内面が前記被拘束部に当接して拘束するように棚状に形成されていることを特徴とする。
【００２５】
このような構成の本発明の端子カバー脱落防止構造では、例えば落下衝撃により端子カバーが撓んでも、被拘束部が棚状の拘束穴に当接して、拘束穴が被拘束部を拘束し、被拘束部が撓まない。
【００２６】
本発明の端子カバー脱落防止構造は、前記被拘束部は、湾曲部で連なる二つの板状部材でなり、一方の前記板状部材が前記爪部を有し、他方の前記板状部材が前記拘束穴に当接するリブを有することを特徴とする。
【００２７】
このような構成の本発明の端子カバー脱落防止構造では、被拘束部を拘束穴に挿入するとき、被拘束部の爪部がキャビネットの係止部と当接し、被拘束部が変形することにより、爪部が係止部を圧接し、係止部が爪部を係止して、被拘束部のリブが拘束穴に当接し、被拘束部が拘束部に嵌る。
したがって、例えば落下衝撃により端子カバーが撓んでも、被拘束部のリブが拘束穴に当接して、拘束部が被拘束部を拘束し、被拘束部が撓まない。
【００２８】
本発明の端子カバー脱落防止構造は、前記リブは、前記拘束穴に対向する略台形状であり、前記他方の板状部材の両縁部に立設されていることを特徴とする。
【００２９】
このような構成の本発明の端子カバー脱落防止構造では、被拘束部を拘束穴に挿入すると、被拘束部の略台形状のリブが拘束穴に当接し、被拘束部の爪部がキャビネットの係止部を圧接して被拘束部が変形し、係止部が爪部を係止して、被拘束部が拘束穴に嵌り、拘束穴は被拘束部を拘束する。
したがって、例えば落下衝撃により端子カバーが撓んでも、被拘束部の略台形状のリブが拘束穴に当接して、拘束穴が被拘束部を拘束し、被拘束部が撓まない。
【００３０】
本発明の端子カバー脱落防止構造は、前記爪部は、前記一方の板状部材の両縁部の二箇所に又は該板状部材の略中央の一箇所に形成されていることを特徴とする。
【００３１】
このような構成の本発明の端子カバー脱落防止構造では、被拘束部の爪部がキャビネットの係止部に当接して偏りなく弾性変形し、被拘束部のリブが拘束穴に均等に当接する。
したがって、例えば落下衝撃により端子カバーが撓んでも、被拘束部のリブが拘束穴に当接して、拘束穴は被拘束部を拘束し、被拘束部は撓まない。
【００３２】
本発明の電子機器は、前述の端子カバー脱落防止構造を備える。
【００３３】
このような構成の本発明の電子機器では、端子カバーが落下衝撃により撓んでも、端子カバーがキャビネットから落下しない。
【発明の効果】
【００３４】
本発明の端子カバー脱落防止構造は、被拘束部の弾性力によりキャビネットの係止部が被拘束部の爪部を係止し、拘束穴が被拘束部を拘束するので、例えば落下衝撃で端子カバーが撓んでも、被拘束部が撓まないため、爪部と係止部との係合が外れることがなく、キャビネットから端子カバーの脱落を防止することができるという効果を有する。
したがって、本発明では、端子カバーの脱落を防止するために、粘着テープで端子カバーを固定する必要がない。
【００３５】
本発明の端子カバー脱落防止構造は、拘束穴内部に端子カバーの被拘束部を案内して拘束する略台形状のリブが立設されているので、リブが端子カバーの被拘束部を案内して容易に拘束穴に挿入することができ、例えば落下衝撃で端子カバーが撓んでも、リブが被拘束部を拘束し、被拘束部が撓まないため、キャビネットの係止部と被拘束部の爪部との係合が外れることがなく、キャビネットから端子カバーの脱落を防止することができるという効果を有する。
【００３６】
本発明の端子カバー脱落防止構造は、拘束穴が端子カバーの被拘束部を案内するテーパー状の案内部を備えているので、被拘束部を拘束穴に滑らかに挿入することができるという効果を有する。
【００３７】
本発明の端子カバー脱落防止構造は、拘束穴の開口部に端子カバーの被拘束部と当接しない平坦部を備えているので、被拘束部を拘束穴に挿入するとき、被拘束部が拘束穴の縁に当たることがなく、容易に挿入することができるという効果を有する。
【００３８】
本発明の端子カバー脱落防止構造は、拘束穴の内面が被拘束部に当接して拘束するように棚状に形成してあるので、例えば落下衝撃で端子カバーが撓んでも、被拘束部が棚状の拘束穴内面に当接して拘束され、被拘束部が撓まないため、被拘束部の爪部とキャビネットの係止部との係合が外れることがなく、キャビネットから端子カバーの脱落を防止することができるという効果を有する。
【００３９】
本発明の端子カバー脱落防止構造は、被拘束部が拘束穴に当接するリブを備えているので、例えば落下衝撃により端子カバーが撓んでも、被拘束部のリブが拘束穴に当接し、被拘束部が拘束されて撓まず、被拘束部の爪部とキャビネットの係止部との係合が外れることがなく、キャビネットから端子カバーの脱落を防止することができるという効果を有する。
【００４０】
本発明の端子カバー脱落防止構造は、被拘束部の略台形状のリブが拘束穴に当接するので、例えば落下衝撃により端子カバーが撓んでも、被拘束部の爪部とキャビネットの係止部との係合が外れることがなく、キャビネットから端子カバーの脱落を防止することができるという効果を有する。
【００４１】
本発明の端子カバー脱落防止構造は、被拘束部の爪部は一方の板状部材の両縁部の二箇所に又は板状部材の略中央の一箇所に形成されているので、爪部がキャビネットの係止部に当接して偏りなく弾性変形し、被拘束部のリブが拘束穴に均等に当接することができるという効果を有する。
したがって、被拘束部のリブが拘束穴に当接すると、拘束穴は被拘束部を偏りなく拘束するようになる。
【００４２】
本発明の電子機器は、前述の端子カバー脱落防止構造を備えているので、端子カバーが落下衝撃により撓んでも、端子カバーがキャビネットから落下することを防止することができるという効果を有する。
【発明を実施するための最良の形態】
【００４３】
以下、図面に基づき、本発明による端子カバー脱落防止構造を液晶ディスプレイの端子カバーを例に挙げて好適な実施の形態を説明する。
（実施の形態１）
図１は本発明の実施の形態１に係る端子カバー脱落防止構造を備える液晶ディスプレイの背面を示す上方向斜視図、図２は端子カバーを外した状態を示す同斜視図、図３は実施の形態１に係るリアキャビネットを示す上方向斜視図、図４は図３の丸印で囲んだａを示す上方向部分拡大斜視図である。
リアキャビネット２２は液晶ディスプレイ２０の各部品を収容して背面を覆い、液晶ディスプレイ２０はスタンド２１で支持されている。リアキャビネット２２の背面横方向一側の領域に渡って、縦長の略矩形状の端子カバー２８が端子部２４を覆っており、リアキャビネット２２の一部となっている。
端子カバー２８を取り外すためのツマミ３４、３４が、端子カバー２８の上縁の横並びの二箇所に設けられている。
【００４４】
端子部２４は、リアキャビネット２２の一部として成型される矩形状の筐体であり、ケーブル端子が接続される接続端子２５、２５、・・・を縦方向に並設して収容する。端子部２４の側部には開口部ｂが縦長に設けられており、接続端子２５にケーブル端子を接続できるようになっている。
端子カバー２８を支持する支持基台３２は、端子カバー２８の下側にて、リアキャビネット２２の一部を内側に凹ませて形成されたものであり、端子部２４と共にリアキャビネット２２と一体成型される。支持基台３２は、端子カバー２８の内側に突出して設けられた支持部４２（図６を参照）が嵌合する穴３３、３３、３３を台の外縁に沿って三個設けている。
端子カバー２８は、端子部２４及び支持基台３２全体を覆ってリアキャビネット２２の一部になる。
【００４５】
図２及び図４に示すように、膨出部３５、３５は、端子部２４の上端両隅の上方近辺にて、リアキャビネット２２の一部を出窓状にその背面方向に膨出させて設けられており、膨出部３５、３５下部の全縁に、係止部２３、２３が下方向に突設されている。
【００４６】
略矩形状の拘束穴２６、２６は、端子部２４の上端両隅の二箇所に設けられており、係止部２３が、拘束穴２６上端部の庇状になっている。
【００４７】
図５は実施の形態１に係る端子カバーを示すリアキャビネットの一部背面図、図６は図５のＶＩ−ＶＩ断面を示す断面図、図７は端子カバーの係合部の詳細を示す部分側断面図、図８は端子カバーの係合部を示す上方向斜視図である。
【００４８】
端子カバー２８には、上縁の横並びの二箇所に、拘束穴２６、２６に対応して、側断面視横向きＵ字状の部材でなる掛止部４４、４４が、正面方向に突出して設けられている。掛止部４４は、端子カバー２８上縁の一部が内側方向に延出されて形成されたものであり、先端が上方に屈曲して、掛止部４４を押圧するツマミ３４にしてある。掛止部４４は、横向きＵ字の湾曲部で連なる上側板状部材と下側板状部材とを備え、上側板状部材の上面横方向の両縁に、爪部４６、４６が立設されている。掛止部４４、４４は、それぞれ拘束穴２６、２６に嵌り、爪部４６、４６は、それぞれ膨出部３５、３５の係止部２３、２３に係止されるようになっている。
【００４９】
さらに、端子カバー２８の下縁には、支持基台３２の穴３３、３３、３３に遊嵌される支持部４２、４２、４２が、横並びに三個設けられている。
支持部４２は、側面視逆Ｌ字形の部材であり、逆Ｌ字の先端が下向きになった縦方向の脚３７が支持基台３２の穴３３に遊嵌し、横方向の脚３９が穴３３の縁部３８と当接して、端子カバー２８が支持基台３２に支持される。
【００５０】
実施の形態１の端子カバー脱落防止構造は、拘束穴２６と係合部４０（被拘束部）とを備え、係合部４０が拘束穴２６に拘束されるものであり、係合部４０は、弾性的に変形可能な側断面視横向きＵ字状の掛止部４４と、膨出部３５の係止部２３に係止される爪部４６とを有する。
【００５１】
略矩形状の拘束穴２６は、開口部２７を背面方向に有し、拘束穴２６横方向の略中央にて上部に空隙を有して側面視略台形状で角柱状をなすリブ５０を備え、リブ５０の上面が背面方向と略平行になっている。掛止部４４が拘束穴２６に挿入されると、掛止部４４の下側板状部材の下面４５がリブ５０の上面に当接して、掛止部４４が拘束穴２６に拘束されるようになっている。
開口部２７は、リブ５０の背面側の斜面でなる案内部５１により、奥行き方向に狭くなっており、リブ５０の案内部５１が掛止部４４を拘束穴２６に案内するようになっている。
【００５２】
爪部４６は、側面視略台形状の角柱状部材をなし、背面方向に略平行な上面に正面側が高い段部４８を有している。さらに、爪部４６の正面側の斜面が背面方向に高くなる挿入案内部４７となっている。掛止部４４を拘束穴２６に挿入していくとき、挿入案内部４７がリアキャビネット２２の係止部２３に圧接して掛止部４４を拘束穴２６に案内する。爪部４６は、掛止部４４の弾性力によって、リアキャビネット２２の係止部２３に圧接し、段部４８で係止部２３に係止される。
【００５３】
図９は実施の形態１に係る端子カバーが撓んだ状態における図５のＶＩ−ＶＩ断面を示す側断面図、図１０は端子カバーが撓んだ状態における係合部を示す部分側断面図である。
端子カバー２８が落下衝撃で撓んだとき、図９の矢印Ｐで示すように、端子カバー２８はリアキャビネット２２の背面方向に張り出す。このとき、図１０に示すように、係合部４０は掛止部４４が拘束穴２６のリブ５０に当接して撓まず、爪部４６が係止部２３に係止されて掛止状態を維持し、端子カバー２８はリアキャビネット２２から脱落しない。
【００５４】
図１０に示すように、二点差線で示す掛止部５２は、爪部４６に近接した横向きＵ字の湾曲部を有するものであり、掛止部４４の湾曲部の端部４１から爪部４６の頂点までの距離Ａと、掛止部５２の湾曲部の端部４１から爪部４６の頂点までの距離Ｂとの大小関係は、Ｂ＜Ａの方が押圧力Ｆ（図１０の白抜き矢印）方向にツマミ３４を操作して係合部４０の掛止を解除するストロークを大きくすることができ、ツマミ３４の操作量を少なくすることができる。
また掛止部４４の湾曲部の端部４１からツマミ３４までの距離Ｃと、掛止部５２の湾曲部の端部４１からツマミ３４までの距離Ｄとの大小関係は、Ｄ＜Ｃの方が係合部４０の掛止を解除するツマミ３４の押圧力Ｆを小さくでき、軽く操作できるようになる。
【００５５】
湾曲部の端部４１からツマミ３４までの距離Ｃが長い掛止部４４では、端子カバー２８が支持部４２で回動するとき（図９を参照）、掛止部４４の湾曲部が拘束穴２６の縁５４に当たらないようにするため、拘束穴２６の縁５４から掛止部４４までの距離Ｈが大きくなり、落下衝撃で爪部４６が外れやすくなる。
したがって、実施の形態１のように拘束穴２６にリブ５０を設けることにより、落下衝撃で端子カバー２８が撓んでも、掛止部４４がリブ５０に当接して、拘束穴２６の縁５４と掛止部４４までの距離Ｈを小さく維持したままで、係合部４０が撓まず、掛止部４４の爪部４６とリアキャビネット２２の係止部２３との係合が外れない。
【００５６】
次に実施の形態１の動作について説明する。
実施の形態１に係る端子カバー脱落防止構造は、図６を参照して、先ず、端子カバー２８の支持部４２の脚３７を支持基台３２の穴３３に差し込み、支持部４２を基点として端子カバー２８を回動し、掛止部４４を拘束穴２６に挿入する（図６の矢印Ｒを参照）。
このとき、図７を参照して、拘束穴２６のリブ５０の案内部５１が、掛止部４４の湾曲部に沿って掛止部４４を案内し、掛止部４４が弾性的に変形することにより、爪部４６の挿入案内部４７がリアキャビネット２２の係止部２３を圧接しながら、掛止部４４が拘束穴２６に係合する。
次に、リアキャビネット２２の係止部２３が爪部４６の段部４８を係止し、掛止部４４が元の形に弾性的に復帰する。
そして、落下衝撃により端子カバー２８が撓んでも（図９を参照）、図１０に示すように、掛止部４４は拘束穴２６のリブ５０に当接し、拘束穴２６は掛止部４４を拘束し、係合部４０は撓まない。
【００５７】
このように実施の形態１の端子カバー脱落防止構造は、リアキャビネット２２の背面方向の落下で端子カバー２８が撓んでも、掛止部４４が拘束穴２６に設けたリブ５０に当接して拘束されるため、係合部４０が撓まず、掛止部４４の爪部４６がリアキャビネット２２の係止部２３から外れることがなく、リアキャビネット２２から端子カバー２８の脱落を防止することができる。
【００５８】
（実施の形態２）
実施の形態１では、端子カバーの脱落を防止するため、掛止部を拘束する手段としてリブを拘束穴に設けたが、リブに代えて拘束穴の構造を変えるようにしてもよい。
図１１は実施の形態２に係る端子カバー脱落防止構造における拘束穴の構造を示す縦方向の部分側断面図である。
端子カバー２８の構成は実施の形態１と同様であり、実施の形態２に係る係合部６０（被拘束部）では、端子カバー２８の掛止部４４が拘束穴６２に係合する。
実施の形態２に係る拘束穴６２は、内部に掛止部４４を規制する規制部６４を設けて掛止部４４を拘束しており、規制部６４は端子カバー２８の掛止部４４と対面し、かつ、近接して設けられた棚６５をなすものである。
拘束穴６２は、内部に、開口部２７から拘束穴６２の奥行き方向に狭く形成されたテーパー状の案内部６６を有し、案内部６６は、開口部２７から奥行き方向に掛止部４４を案内する。
即ち、拘束穴６２は、開口部２７から奥行き縦方向に（逆背面方向）狭くなっており、開口部２７の横方向の幅は掛止部４４より広く形成されている。
なお、図１１中に実施の形態１に係る拘束穴２６を二点差線で示した。
【００５９】
このような実施の形態２は、実施の形態１と同様に、図６を参照して、先ず、端子カバー２８の支持部４２の脚３７を支持基台３２の穴３３に差し込み、支持部４２を基点として端子カバー２８を回動させる。次に、図１１を参照して、掛止部４４を拘束穴６２に挿入するとき、拘束穴６２の案内部６６が、掛止部４４の湾曲部に沿って掛止部４４を案内し、掛止部４４が弾性的に変形することにより、爪部４６の挿入案内部４７がリアキャビネット２２の係止部２３を圧接しながら、掛止部４４が拘束穴６２に係合する。
次いで、リアキャビネット２２の係止部２３が爪部４６の段部４８を係止し、掛止部４４が元の形に弾性的に復帰する。
そして、端子カバー２８が落下衝撃により撓んでも、掛止部４４が拘束穴６２の規制部６４に当接し、拘束穴６２が掛止部４４を拘束して、係合部６０が撓まない。
【００６０】
このように実施の形態２の端子カバー脱落防止構造は、リアキャビネット２２の背面方向の落下で端子カバー２８が撓んでも、掛止部４４が拘束穴６２に設けた規制部６４により規制されて、拘束穴６２が掛止部４４を拘束するため、係合部６０は撓まず、掛止部４４の爪部４６がリアキャビネット２２の係止部２３から外れることがなく、リアキャビネット２２から端子カバー２８の脱落を防止することができる。
【００６１】
（実施の形態３）
図１２は実施の形態３に係る端子カバー脱落防止構造における拘束穴の他の構造を示す部分側断面図である。
端子カバー２８の構成は実施の形態１と同様であり、実施の形態３に係る係合部７０（被拘束部）は、端子カバー２８の掛止部４４が拘束穴７２に係合する。
実施の形態３に係る拘束穴７２は、内部に、端子カバー２８の掛止部４４と対面して、掛止部４４を規制する規制部７４と、開口部２７から奥行き方向に平坦に形成された平坦部７６とを有する。
【００６２】
規制部７４は、掛止部４４に当接する棚状をなしている。平坦部７６は、端子カバー２８が支持部４２を基点として回動して、掛止部４４が拘束穴７２に挿入されるとき（図６を参照）、拘束穴７２の縁部と接触しないように形成されている。この平坦部７６は、拘束穴７２に掛止部４４が係合するとき、掛止部４４の湾曲部が当たらないように、つまり当接しないように形成されていればよい。
なお、図１２中に実施の形態１に係る拘束穴２６を二点差線で示した。
【００６３】
このような実施の形態３は、実施の形態１及び２と同様に、図６を参照して、先ず、端子カバー２８の支持部４２の脚３７を支持基台３２の穴３３に差し込み、支持部４２を基点として端子カバー２８を回動する。
次に、図１２を参照して、掛止部４４を拘束穴７２に挿入するとき、拘束穴７２の縁に当たることなく、掛止部４４が規制部７４に当接するとともに、爪部４６の挿入案内部４７がリアキャビネット２２の係止部２３に当接して、掛止部４４が弾性的に変形し、爪部４６の挿入案内部４７がリアキャビネット２２の係止部２３を圧接しながら、掛止部４４が拘束穴７２に係合する。
次いで、リアキャビネット２２の係止部２３が爪部４６の段部４８を係止し、掛止部４４が元の形に弾性的に復帰する。
そして、端子カバー２８が落下衝撃により撓んでも、掛止部４４が拘束穴７２の規制部７４に当接し、拘束穴７２が掛止部４４を拘束して、係合部７０が撓まない。
【００６４】
このように実施の形態３の端子カバー脱落防止構造は、実施の形態２と同様に、リアキャビネット２２の背面方向の落下で端子カバー２８が撓んでも、掛止部４４が拘束穴７２に設けた規制部７４により規制されて、拘束穴７２が掛止部４４を拘束するため、係合部７０は撓まず、掛止部４４の爪部４６がリアキャビネット２２の係止部２３から外れることがなく、リアキャビネット２２から端子カバー２８の脱落を防止することができる。
【００６５】
（実施の形態４）
実施の形態１乃至３では、端子カバーの掛止部を拘束穴に拘束するための部材として、端子筐体の拘束穴にリブ又は規制部を設けたが、掛止部側を肉厚に形成して、拘束穴に掛止させて拘束するようにしてもよい。
実施の形態４は、拘束穴に係合する係合部（被拘束部）が、横向きＵ字の湾曲部で連なる上側及び下側板状部材と、上側板状部材に立設された爪部と、下側板状部材が拘束穴に当接するリブとを有するものである。以下、詳細に説明する。
【００６６】
図１３は実施の形態４に係る係合部を示す上方向斜視図である。
実施の形態４に係る係合部８０（被拘束部）は、図８で示した実施の形態１に係る掛止部４４の下側板状部材の外面４５側の縁部を厚くして形成された、側面視略台形状のリブ８４を設けたものであり、リブ８４により拘束穴に拘束される。掛止部８２のリブ８４、８４は、上側板状部材に立設された爪部４６、４６に対応して二箇所、下側板状部材の下面の両縁に形成されている。
リブ８４、８４の端子カバー２８側には斜面８６が正面方向に高くなるように形成されており、拘束穴の縁部と当接しないようになっている。
なお、実施の形態４における拘束穴は、図７における拘束穴２６にリブ５０が立設されていない拘束穴を示す。
【００６７】
このような掛止部８２では、端子カバー２８が落下衝撃で撓んでも、掛止部８２のリブ８４が拘束穴に当接して、係合部８０は撓まず、リアキャビネット２２の係止部２３と爪部４６との係合が外れることがない（図７及び図１３を参照）。
したがって、実施の形態４に係る端子カバー脱落防止構造では、端子カバー２８が撓んでも、掛止部８２のリブ８４が拘束穴に当接して拘束され、係合部８０は撓まず、リアキャビネット２２から端子カバー２８の脱落を防止することができる。
【００６８】
図１４はリブの変形例を示す上方向斜視図である。
実施の形態４ではリブ８４を両縁部に二箇所設けたが、図１４に示すように、変形例では、リブ８８が掛止部４４の下側板状部材の外面４５（図８を参照）側を凸状に形成されたものである。
リブ８８は、横向きＵ字の湾曲部で連なる下側板状部材の湾曲部全域にわたって、実施の形態３と同様に側面視略台形状に形成されており、端子カバー２８側に正面方向に高くなる斜面８９が形成されている。
掛止部８７の作用効果は実施の形態３と同様であるので詳細な説明を省略する。
【００６９】
図１５は爪部の変形例を示す上方向斜視図である。
実施の形態１の爪部４６は、端子カバー２８から突出した側断面視横向きＵ字状の掛止部４４の上側板状部材の外面４３の両縁に二箇所形成されているが（図８を参照）、図１５に示すように、掛止部９２の上側板状部材の全幅にわたる側面視略台形状の爪部９４を設けてもよい。爪部９４の側面視は実施の形態１で示した爪部４６と同様であり、同様の挿入案内部４７及び段部４８が形成されている。
【００７０】
図１６は湾曲部側に偏って段部を二個有する凸状のリブを設けた変形例を示す上方向斜視図である。
掛止部９６の下側板状部材に設けられた凸状のリブ９８は、端子カバー２８側から正面方向に逆階段状をなす二段の段部を有し、拘束穴の奥行き方向に肉厚になるように形成されている。
掛止部９６の作用効果は実施の形態３と同様であるので詳細な説明を省略する。
【００７１】
以上説明した、端子カバー及び掛止部は一体成型されており、掛止部を肉厚に形成する場合も一体的に成型される。
実施の形態１乃至３で説明した端子部、端子部の拘束穴の構造及びリブは、リアキャビネットと一体成型される。
また、本発明に係る実施の形態は、液晶ディスプレイの端子カバーを例に挙げて説明したが、これに限らず、端子カバーと同様のカバーをリアキャビネットから脱落防止するようにした電子機器であればよい。
【図面の簡単な説明】
【００７２】
【図１】本発明の実施の形態１に係る端子カバー脱落防止構造を備える液晶ディスプレイの背面を示す上方向斜視図である。
【図２】本発明の実施の形態１に係る端子カバー脱落防止構造を備える液晶ディスプレイの背面から端子カバーを外した状態を示す上方向斜視図である。
【図３】実施の形態１に係るリアキャビネットを示す上方向斜視図である。
【図４】実施の形態１に係る端子部の拘束穴を示す上方向部分拡大斜視図である。
【図５】実施の形態１に係る端子カバーを示すリアキャビネットの一部背面図である。
【図６】図５のＶＩ−ＶＩ断面を示す断面図である。
【図７】実施の形態１に係る端子カバーの係合部の詳細を示す部分側断面図である。
【図８】実施の形態１に係る端子カバーの係合部を示す上方向斜視図である。
【図９】実施の形態１に係る端子カバーが撓んだ状態における図５のＶＩ−ＶＩ断面を示す側断面図である。
【図１０】実施の形態１に係る端子カバーが撓んだ状態における係合部を示す部分側断面図である。
【図１１】実施の形態２に係る端子カバー脱落防止構造における拘束穴の構造を示す部分側断面図である。
【図１２】実施の形態３に係る端子カバー脱落防止構造における拘束穴の他の構造を示す部分側断面図である。
【図１３】実施の形態４に係る係合部を示す上方向斜視図である。
【図１４】リブの変形例を示す上方向斜視図である。
【図１５】爪部の変形例を示す上方向斜視図である。
【図１６】湾曲部側に偏って段部を二個有する凸状のリブを設けた変形例を示す上方向斜視図である。
【図１７】従来の液晶ディスプレイの端子カバー回りを示す部分側断面図である。
【図１８】従来の液晶ディスプレイの端子カバーの係合部を示す部分側断面図である。
【図１９】従来の液晶ディスプレイの端子カバーが撓んだ状態における係合部を示す部分側断面図である。
【符号の説明】
【００７３】
２２  リアキャビネット（キャビネット）
２３  係止部
２４  端子部
２６、６２、７２  拘束穴
２７  開口部
２８  端子カバー
４０、６０、７０、８０  係合部（被拘束部）
４６  爪部
５０、８４、８８、９８  リブ
６６  案内部
６４、７４  規制部（棚状）
７６  平坦部
【図１】
2008153029.tif 000003
【図２】
2008153029.tif 000004
【図３】
2008153029.tif 000005
【図４】
2008153029.tif 000006
【図５】
2008153029.tif 000007
【図６】
2008153029.tif 000008
【図７】
2008153029.tif 000009
【図８】
2008153029.tif 000010
【図９】
2008153029.tif 000011
【図１０】
2008153029.tif 000012
【図１１】
2008153029.tif 000013
【図１２】
2008153029.tif 000014
【図１３】
2008153029.tif 000015
【図１４】
2008153029.tif 000016
【図１５】
2008153029.tif 000017
【図１６】
2008153029.tif 000018
【図１７】
2008153029.tif 000019
【図１８】
2008153029.tif 000020
【図１９】
2008153029.tif 000021